(57)【特許請求の範囲】
【請求項１】
シート状の基材部の一方の面に複数本の係合素子を設け、前記基材部に前記係合素子を含む素子形成領域と前記係合素子を含まない非素子形成領域とを形成し、前記基材部を前記非素子形成領域にて面外に加工することで前記基材部の幅方向の両端部及びその中間部にそれぞれ前記素子形成領域に沿ってタイヤ周方向に延在する突起部を設けたタイヤ用面ファスナーを構成し、該タイヤ用面ファスナーを備えた空気入りタイヤであって、
前記基材部と前記係合素子とを備えた複数の面ファスナー素材からなり、これら面ファスナー素材の幅方向の端部同士を接合し、その接合部に前記突起部を配置してなる前記タイヤ用面ファスナーを構成し、該タイヤ用面ファスナーを前記係合素子がタイヤ内腔側に位置するようにタイヤ内面に設置したことを特徴とする空気入りタイヤ。
【請求項２】
前記突起部の高さが前記係合素子の高さの５０％〜３００％であることを特徴とする請求項１に記載の空気入りタイヤ。
【請求項３】
前記基材部の他方の面に複数本のアンカー素子を設けたことを特徴とする請求項１〜２のいずれかに記載の空気入りタイヤ。
【請求項４】
前記突起部の相互間隔を５ｍｍ〜８０ｍｍとしたことを特徴とする請求項１〜３のいずれかに記載の空気入りタイヤ。
【請求項５】
前記基材部が熱可塑性樹脂から構成されることを特徴とする請求項１〜４のいずれかに記載の空気入りタイヤ。
【請求項６】
シート状の基材部の一方の面に複数本の係合素子を設け、前記基材部に前記係合素子を含む素子形成領域と前記係合素子を含まない非素子形成領域とを形成し、前記基材部を前記非素子形成領域にて面外に加工することで前記基材部の幅方向の両端部及びその中間部にそれぞれ前記素子形成領域に沿ってタイヤ周方向に延在する突起部を設けたタイヤ用面ファスナーを用意し、該タイヤ用面ファスナーを用いた空気入りタイヤの製造方法であって、
前記基材部と前記係合素子とを備えた複数の面ファスナー素材を用意し、これら面ファスナー素材の幅方向の端部同士を接合し、その接合部に前記突起部を配置してなる前記タイヤ用面ファスナーを構成し、該タイヤ用面ファスナーを前記係合素子がタイヤ内腔側に位置するようにタイヤ内面に設置した未加硫の空気入りタイヤを成形し、該面ファスナーを備えた未加硫の空気入りタイヤを金型内に投入し、該空気入りタイヤをブラダーによりタイヤ内側から加圧しながら加硫を行うことを特徴とする空気入りタイヤの製造方法。
【請求項７】
前記突起部の高さが前記係合素子の高さの５０％〜３００％であることを特徴とする請求項６に記載の空気入りタイヤの製造方法。
【請求項８】
前記基材部の他方の面に複数本のアンカー素子を設けることを特徴とする請求項６〜７のいずれかに記載の空気入りタイヤの製造方法。
【請求項９】
前記突起部の相互間隔を５ｍｍ〜８０ｍｍとしたことを特徴とする請求項６〜８のいずれかに記載の空気入りタイヤの製造方法。
【請求項１０】
前記基材部が熱可塑性樹脂から構成されることを特徴とする請求項６〜９のいずれかに記載の空気入りタイヤの製造方法。
【発明の詳細な説明】
【技術分野】
【０００１】
本発明は、吸音材等の付属物を必要に応じてタイヤ内面に取り付けるための面ファスナーをタイヤ内面に備えた空気入りタイヤ及びその製造方法に関し、更に詳しくは、面ファスナーの係合素子が加硫ブラダーの圧力により潰れるのを防ぐことを可能にした空気入りタイヤ及びその製造方法に関する。
【背景技術】
【０００２】
従来、吸音材等の付属物の取り付けを容易にするために、タイヤ内面に面ファスナーを備え付けた空気入りタイヤが提案されている（例えば、特許文献１参照）。空気入りタイヤにおいては、空洞部内で生じる共鳴音を低減するために、空洞部内に吸音材を設置することが行われているが、上記面ファスナー付き空気入りタイヤによれば、吸音材等の付属物を必要に応じて簡単に着脱することができる。
【０００３】
しかしながら、面ファスナーをタイヤ内面に取り付けた状態で空気入りタイヤの加硫を行うと、加硫ブラダーの圧力により面ファスナーの係合素子が潰れてしまうという問題がある。そして、面ファスナーの係合素子が潰れると、面ファスナーを介してタイヤ内面に取り付けられた吸音材等の付属物の安定性が低下し、タイヤ走行時に付属物が離脱し易くなる。
【先行技術文献】
【特許文献】
【０００４】
【特許文献１】特開２００６−４４５０３号公報
【発明の概要】
【発明が解決しようとする課題】
【０００５】
本発明の目的は、面ファスナーをタイヤ内面に接着するにあたって、面ファスナーの係合素子が加硫ブラダーの圧力により潰れるのを防ぐことを可能にした空気入りタイヤ及びその製造方法を提供することにある。
【課題を解決するための手段】
【０００６】
上記目的を達成するための本発明の空気入りタイヤは、シート状の基材部の一方の面に複数本の係合素子を設け、前記基材部に前記係合素子を含む素子形成領域と前記係合素子を含まない非素子形成領域とを形成し、前記基材部を前記非素子形成領域にて面外に加工することで前記基材部の幅方向の両端部及びその中間部にそれぞれ前記素子形成領域に沿ってタイヤ周方向に延在する突起部を設けたタイヤ用面ファスナーを構成し、該タイヤ用面ファスナーを備えた空気入りタイヤであって、
前記基材部と前記係合素子とを備えた複数の面ファスナー素材からなり、これら面ファスナー素材の幅方向の端部同士を接合し、その接合部に前記突起部を配置してなる前記タイヤ用面ファスナーを構成し、該タイヤ用面ファスナーを前記係合素子がタイヤ内腔側に位置するようにタイヤ内面に設置したことを特徴とするものである。
【０００７】
また、上記目的を達成するための本発明の空気入りタイヤの製造方法は、シート状の基材部の一方の面に複数本の係合素子を設け、前記基材部に前記係合素子を含む素子形成領域と前記係合素子を含まない非素子形成領域とを形成し、前記基材部を前記非素子形成領域にて面外に加工することで前記基材部の幅方向の両端部及びその中間部にそれぞれ前記素子形成領域に沿ってタイヤ周方向に延在する突起部を設けたタイヤ用面ファスナーを用意し、該タイヤ用面ファスナーを用いた空気入りタイヤの製造方法であって、
前記基材部と前記係合素子とを備えた複数の面ファスナー素材を用意し、これら面ファスナー素材の幅方向の端部同士を接合し、その接合部に前記突起部を配置してなる前記タイヤ用面ファスナーを構成し、該タイヤ用面ファスナーを前記係合素子がタイヤ内腔側に位置するようにタイヤ内面に設置した未加硫の空気入りタイヤを成形し、該面ファスナーを備えた未加硫の空気入りタイヤを金型内に投入し、該空気入りタイヤをブラダーによりタイヤ内側から加圧しながら加硫を行うことを特徴とするものである。
【発明の効果】
【０００８】
本発明では、面ファスナーの基材部を係合素子がタイヤ内腔側に位置するようにタイヤ内面に設置するにあたって、面ファスナーの基材部の一方の面に係合素子を設け、基材部を非素子形成領域にて面外に加工することで素子形成領域に沿って突起部を設けているので、その突起部の存在により面ファスナーの係合素子が加硫ブラダーの圧力により潰れるのを防ぐことができる。
【０００９】
また、面ファスナーを成形する場合、例えば、基材部及び係合素子をタイヤ周方向に向かって見たときの側面視形状に相当する開口部を備えた押出成形機から熱可塑性樹脂を押出し、係合素子に相当する突条部分にスリットを間欠的に形成し、その押出物を延伸して係合素子の相互間隔を広げることにより、基材部の一方の面に多数本の独立した係合素子と備えた面ファスナーを成形することが可能であるが、この場合、押し出し方向に沿って連続的に延在する突起部を基材部と一体的に成形することができない。
【００１０】
そこで、本発明では、基材部に係合素子を含む素子形成領域と係合素子を含まない非素子形成領域とを形成し、基材部を非素子形成領域にて面外に加工することで素子形成領域に沿って突起部を設けるようにしている。これにより、基材部の非素子形成領域を有効に活用して係合素子を保護するための突起部を設けることができる。特に、基材部を面外に加工して突起部を形成するために、面ファスナーの基材部は熱可塑性樹脂から構成することが好ましい。
【００１１】
本発明において、基材部の幅方向の両端部を加工することで突起部を形成することにより、基材部の幅方向の端部に配置された突起部が加硫ブラダーに押圧されて、その部分の加圧力が高くなるため、基材部の端部をタイヤ内面に対してしっかりと接着し、その接着性を高めることができる。
【００１２】
面ファスナーは基材部と係合素子とを備えた複数の面ファスナー素材から構成し、これら面ファスナー素材の幅方向の端部同士を接合し、その接合部に突起部を配置することができる。この場合、共通の面ファスナー素材を成形し、これらを組み合わせることで所望の寸法を有する面ファスナーを構成することができる。
【００１３】
突起部の高さは係合素子の高さの５０％〜３００％であることが好ましい。また、突起部のタイヤ幅方向の相互間隔を５ｍｍ〜８０ｍｍとすることが好ましい。これにより、係合素子による係合効果を損なうことなく係合素子の潰れを効果的に防止することができる。
【００１４】
面ファスナーの基材部の他方の面には複数本のアンカー素子を設けることが好ましい。これらアンカー素子はタイヤ内面のゴム層に埋設されることになるため、面ファスナーのタイヤ内面に対する接着力を向上することができる。
【図面の簡単な説明】
【００１５】
【図１】空気入りタイヤを示す子午線半断面図である。
【図２】面ファスナーの一例を示す斜視図である。
【図３】面ファスナーの加工方法の一例を示す斜視図である。
【図４】図３の製造方法で得られる面ファスナーの変形例を示す斜視図である。
【図５】図３の製造方法で得られる面ファスナーの変形例を示す斜視図である。
【図６】面ファスナーの加工方法の他の例を示す斜視図である。
【図７】面ファスナーの加工方法の他の例を示す斜視図である。
【図８】面ファスナーの加工方法の他の例を示す斜視図である。
【図９】図８の製造方法で得られる面ファスナーの変形例を示す斜視図である。
【図１０】図８の製造方法で得られる面ファスナーの変形例を示す斜視図である。
【図１１】図８の製造方法で得られる面ファスナーの変形例を示す斜視図である。
【図１２】図８の製造方法で得られる面ファスナーの変形例を示す斜視図である。
【図１３】図８の製造方法で得られる面ファスナーの変形例を示す斜視図である。
【図１４】面ファスナーの押し出し成形方法を示す斜視図である。
【発明を実施するための形態】
【００１６】
以下、本発明の構成について添付の図面を参照しながら詳細に説明する。図１は空気入りタイヤを示し、図２は面ファスナーの一例を示すものである。
【００１７】
図１において、１はトレッド部、２はサイドウォール部、３はビード部である。左右一対のビード部３，３間にはカーカス層４が装架されている。このカーカス層４は各ビード部３に配置されたビードコア５の廻りにタイヤ内側から外側に折り返されている。また、カーカス層４よりもタイヤ内腔側の部位にはインナーライナー層６が配置されている。一方、トレッド部１におけるカーカス層４の外周側には複数層のベルト層７が埋設されている。
【００１８】
上記空気入りタイヤにおいて、タイヤ内面Ｓのトレッド部１に対応する領域には面ファスナー１０が設置されている。面ファスナー１０は、図２に示すように、シート状をなす基材部１１の一方の面に複数本の係合素子１２を設ける一方で基材部１１の他方の面に複数本のアンカー素子１４を設けた構造を有している。係合素子１２及びアンカー素子１４はいずれもタイヤ周方向Ｃに沿って列をなし、複数の列がタイヤ幅方向Ｗに沿って並ぶように配置されている。係合素子１２及びアンカー素子１４の形状は特に限定されるものではないが、例えば、図示のように先端部が枝分かれして面ファスナー１０の面方向に向かって延びるＴ字形状や鏃形状（２段鏃形状を含む）であると良い。アンカー素子１４はタイヤ内面Ｓのインナーライナー層６に埋設され、面ファスナー１０のタイヤ内面Ｓに対する接着力を向上するものであるが、必ずしも設ける必要はない。
【００１９】
更に、面ファスナー１０の基材部１１の幅方向の両端部には、係合素子１２の潰れを防止するための突起部１５が形成されている。つまり、上述した空気入りタイヤを製造する場合、面ファスナー１０を係合素子１２がタイヤ内腔側に位置するようにタイヤ内面Ｓに設置した未加硫の空気入りタイヤを成形し、この面ファスナー１０を備えた未加硫の空気入りタイヤを金型内に投入し、その空気入りタイヤを加硫ブラダーによりタイヤ内側から加圧しながら加硫を行うようにする。これにより、面ファスナー１０の基材部１１がタイヤ内面Ｓに対して加硫接着されるが、タイヤ加硫時において面ファスナー１０は加硫ブラダーにより押圧されるため、係合素子１２にはタイヤ径方向の圧力が掛かることになる。そこで、基材部１１に係合素子１２と同方向に突出した突起部１５を設けることにより、その突起部１５が加硫ブラダーからの圧力を受け止めることで係合素子１２の潰れを防止するのである。
【００２０】
一方、面ファスナー１０には、必要に応じて吸音材２０等の付属物が取り付けられる。例えば、ポリウレタンフォームや不織布からなる吸音材２０の場合、そのポリウレタンフォームや不織布の網目構造を利用することで吸音材２０をそのまま面ファスナー１０に対して係合させることができる。勿論、付属物には面ファスナー１０に対して係合可能な他の面ファスナーを取り付けるようにしても良い。付属物としては、吸音材２０の他に、温度センサやトランスポンダ等を挙げることができる。また、面ファスナー１０のタイヤ内面Ｓにおける設置場所は付属物の種類に応じて任意に選択することができる。
【００２１】
上述した空気入りタイヤでは、面ファスナー１０をタイヤ内面Ｓに加硫接着するにあたって、面ファスナー１０の基材部１１の一方の面に係合素子１２を設けると共に、その基材部１１に突起部１５を併設しているので、面ファスナー１０の係合素子１２が加硫ブラダーの圧力により潰れるのを防ぐことができる。これにより、面ファスナー１０を介してタイヤ内面Ｓに取り付けられた吸音材２０等の付属物の安定性を高めることができ、タイヤ走行時に付属物が離脱するのをより確実に防止することができる。
【００２２】
面ファスナー１０を成形する場合、例えば、基材部１１及び係合素子１２をタイヤ周方向に向かって見たときの側面視形状に相当する開口部を備えた押出成形機から熱可塑性樹脂を押出し、係合素子１２に相当する突条部分にスリットを間欠的に形成し、その押出物を延伸して係合素子１２の相互間隔を広げることにより、基材部１１の一方の面に多数本の独立した係合素子１２と備えた面ファスナー１０を成形することが可能である（図１４参照）。しかしながら、この場合、押し出し方向に沿って連続的に延在する突起部１５を基材部１１と一体的に成形することができない。
【００２３】
そこで、タイヤ内面Ｓに設置するための面ファスナー１０を製造するにあたって、図３に示すように、押し出し工程では基材部１１に突起部１５を設けずに、基材部１１に係合素子１２を含む素子形成領域Ｘと係合素子１２を含まない非素子形成領域Ｙとを形成し、基材部１１を非素子形成領域Ｙにて面外に加工することで素子形成領域Ｘに沿って突起部１５を設けるようにする。これにより、基材部１１の非素子形成領域Ｙを有効に活用して係合素子１２を保護するための突起部１５をタイヤ周方向に連続するように設けることができる。
【００２４】
図３においては、基材部１１を係合素子１２側へ丸めることで突起部１５が形成されているが、基材部１１を面外に加工するとは、折る、丸める、溶かす等の少なくとも１つの加工を施すことにより、基材部１１を面外に向けて変形させることを意味し、特に、基材部１１を加熱しながら変形させることが好ましい。或いは、基材部１１を変形させた後で加熱し、その形状を固定するようにしても良い。勿論、基材部１１を変形させる方向は係合素子１２側であることが望ましい。
【００２５】
上述した面ファスナー１０は、例えば、ナイロン、ポリエステル、ポリエチレン、ポリプロピレン、ポリ塩化ビニル、ポリスチレン、アクリロニトリル／スチレン、アクリロニトリル／ブタジエン／スチレン、ポリエチレンテレフタレート等の熱可塑性樹脂から成形することができる。
【００２６】
上記空気入りタイヤにおいて、係合素子１２の基材表面からの高さは特に限定されるものではないが、例えば、０．３ｍｍ〜５．０ｍｍにすると良い。係合素子１２の高さを上記範囲に設定することにより、面ファスナー１０に対する吸音材２０等の付属物の取り付け強度を十分に確保することができる。
【００２７】
一方、突起部１５の基材表面からの高さは係合素子１２の高さの５０％〜３００％の範囲、より好ましくは、７０％〜２００％の範囲であると良い。これにより、係合素子１２による係合効果を損なうことなく係合素子１２の潰れを効果的に防止することができる。突起部１５の高さが係合素子１２の高さの５０％未満であると係合素子１２の潰れを効果的に防止することができず、逆に係合素子１２の高さの３００％を超えると係合素子１２による係合効果が低下する。
【００２８】
突起部１５は基材部１１のタイヤ幅方向の複数箇所に配置し、これら複数箇所に配置された突起部１５のタイヤ幅方向の相互間隔を５ｍｍ〜８０ｍｍの範囲、より好ましくは、８ｍｍ〜５０ｍｍの範囲とするのが良い。ここで、突起部１５のタイヤ幅方向の相互間隔とはタイヤ幅方向に隣り合う突起部１５，１５同士の最短距離である。このような突起部１５の配置により、係合素子１２による係合効果を損なうことなく係合素子１２の潰れを効果的に防止することができる。突起部１５のタイヤ幅方向の相互間隔が５ｍｍ未満であると係合素子１２による係合効果が低下し、逆に７０ｍｍを超えると係合素子１２の潰れを効果的に防止することができなくなる。
【００２９】
図２において、突起部１５は基材部１１のタイヤ幅方向の２箇所、即ち、基材部１１のタイヤ幅方向両端部においてタイヤ周方向に沿って配置されている。この場合、基材部１１のタイヤ幅方向両端部に配置された突起部１５が加硫ブラダーに押圧されて、その部分の加圧力が高くなるため、基材部１１のタイヤ幅方向両端部をタイヤ内面Ｓに対してしっかりと接着し、その接着性を高めることができる。
【００３０】
図４及び図５はそれぞれ図３の製造方法で得られる面ファスナーの変形例を示すものである。これら図４及び図５において、図３と同一物には同一符号を付してその部分の詳細な説明は省略する。
【００３１】
図４において、面ファスナー１０は、基材部１１に複数本の係合素子１２と複数本のアンカー素子１４とを設けた構造を有し、基材部１１の幅方向の両端部を加工することで、その両端部に円柱状の突起部１５が形成されている。
【００３２】
図５において、面ファスナー１０は、基材部１１に複数本の係合素子１２と複数本のアンカー素子１４とを設けた構造を有し、基材部１１の幅方向の両端部を加工することで、その両端部に四角柱状の突起部１５が形成されている。
【００３３】
図６は面ファスナーの加工方法の他の例を示すものである。図６において、図３と同一物には同一符号を付してその部分の詳細な説明は省略する。
【００３４】
図６に示す加工方法では、基材部１１に係合素子１２を含む素子形成領域Ｘと係合素子１２を含まない非素子形成領域Ｙとを形成するにあたって、非素子形成領域Ｙを基材部１１の幅方向の中央部に配置し、その中央部の非素子形成領域Ｙにおいて基材部１１を面外に湾曲するように加工することで素子形成領域Ｘに沿って突起部１５を設けている。
【００３５】
図７は面ファスナーの加工方法の他の例を示すものである。図７において、図３と同一物には同一符号を付してその部分の詳細な説明は省略する。
【００３６】
図７に示す加工方法では、基材部１１に係合素子１２を含む素子形成領域Ｘと係合素子１２を含まない非素子形成領域Ｙとを形成するにあたって、非素子形成領域Ｙを基材部１１の幅方向の両端部に配置し、基材部１１の幅方向の一方の端部を非素子形成領域Ｙにおいて面外に加工することで素子形成領域Ｘに沿って突起部１５を設けている。
【００３７】
図８は面ファスナーの加工方法の他の例を示すものである。図８において、図３と同一物には同一符号を付してその部分の詳細な説明は省略する。
【００３８】
図８に示す加工方法では、面ファスナー１０を基材部１１と係合素子１２とを備えた複数の面ファスナー素材１０Ａ，１０Ａから構成し、これら面ファスナー素材１０Ａ，１０Ａの幅方向の端部同士を折り曲げるようにして接合し、その接合部に突起部１５を形成している。この場合、共通の面ファスナー素材１０Ａを成形し、これらを組み合わせることで所望の寸法を有する面ファスナー１０を構成することができる。つまり、基本単位となる面ファスナー素材１０Ａを用意し、繋ぎ合わせる面ファスナー素材１０Ａの枚数を任意に選択することができる。勿論、形状や寸法が異なる複数種類の面ファスナー素材を組み合わせて用いることも可能である。
【００３９】
図９〜図１３はそれぞれ図８の製造方法で得られる面ファスナーの変形例を示すものである。これら図９〜図１３において、図３と同一物には同一符号を付してその部分の詳細な説明は省略する。
【００４０】
図９において、面ファスナー１０は、基材部１１と係合素子１２とを備えた複数の面ファスナー素材１０Ａ，１０Ａから構成され、これら面ファスナー素材１０Ａ，１０Ａの幅方向の端部同士を接合することで該接合部に円柱状の突起部１５が形成されている。
【００４１】
図１０及び図１１において、面ファスナー１０は、基材部１１と係合素子１２とを備えた複数の面ファスナー素材１０Ａ，１０Ａから構成され、これら面ファスナー素材１０Ａ，１０Ａの幅方向の端部同士を接合することで該接合部に突起部１５が形成され、かつ基材部１１の幅方向の一方の端部にも突起部１５が形成されている。
【００４２】
図１２及び図１３において、面ファスナー１０は、基材部１１と係合素子１２とを備えた複数の面ファスナー素材１０Ａ，１０Ａから構成され、これら面ファスナー素材１０Ａ，１０Ａの幅方向の端部同士を接合することで該接合部に突起部１５が形成され、かつ基材部１１の幅方向の両端部にも突起部１５が形成されている。
【実施例】
【００４３】
タイヤサイズ２１５／６０Ｒ１６で、タイヤ内面におけるトレッド部に対応する領域に面ファスナーを設置し、この面ファスナーをタイヤ内面に対して加硫接着した空気入りタイヤを製造するにあたって、シート状の基材部の一方の面に係合素子を設け、該基材部に係合素子を含む素子形成領域と係合素子を含まない非素子形成領域とを形成し、該基材部を非素子形成領域にて面外に加工することで素子形成領域に沿って突起部を設けた面ファスナーを使用し、その面ファスナーの構造を表１のように種々異ならせた参考例１〜３及び実施例１のタイヤを製作した。また、比較のため、基材部に突起部を設けずに係合素子だけを設けた比較例１のタイヤを製作した。
【００４４】
これら試験タイヤについて、下記の評価方法により、係合素子の状態及び面ファスナーの接着性を評価し、その結果を表１に併せて示した。
【００４５】
係合素子の状態：
加硫後の試験タイヤにおいてタイヤ内面に接着されている面ファスナーを観察し、係合素子の状態を調べた。評価結果は、係合素子の潰れが顕著である場合を「×」で示し、係合素子の潰れが殆ど認められない場合を「○」で示した。
【００４６】
面ファスナーの接着性：
加硫後の試験タイヤを解体して面ファスナーの設置部分を切り出し、面ファスナーとインナーライナー層とカーカス層との積層体からなる試験片を作製し、この試験片のタイヤ部分（インナーライナー層、カーカス層）と面ファスナーとの間の接着力をＪＩＳ  Ｋ６２５６−１に準拠した試験法にて測定した。評価結果は、比較例１を１００とする指数にて示した。この指数値が大きいほど接着性が良好であることを意味する。
【００４７】
【表１】
0005994874.tif 000002
【００４８】
表１から判るように、参考例１〜３及び実施例１のタイヤにおいては、面ファスナーの係合素子に潰れが生じていなかった。これに対して、比較例１のタイヤでは、面ファスナーの係合素子に潰れが生じていた。
【符号の説明】
【００４９】
１  トレッド部
２  サイドウォール部
３  ビード部
４  カーカス層
５  ビードコア
６  インナーライナー層
７  ベルト層
１０  面ファスナー
１１  基材部
１２  係合素子
１４  アンカー素子
１５  突起部
Ｓ  タイヤ内面
【図１】
0005994874.tif 000003
【図２】
0005994874.tif 000004
【図３】
0005994874.tif 000005
【図４】
0005994874.tif 000006
【図５】
0005994874.tif 000007
【図６】
0005994874.tif 000008
【図７】
0005994874.tif 000009
【図８】
0005994874.tif 000010
【図９】
0005994874.tif 000011
【図１０】
0005994874.tif 000012
【図１１】
0005994874.tif 000013
【図１２】
0005994874.tif 000014
【図１３】
0005994874.tif 000015
【図１４】
0005994874.tif 000016